(57)【要約】【課題】店員が装置に対して行う作業の作業性のよい会計装置を提供する。【解決手段】販売データに基づいて算出された支払額の会計を行う会計装置であって、前面および底面が開放された形状のカバー部と、少なくとも前後方向に移動自在であって、前記カバー部に収納された状態で前記カバー部と固定可能な硬貨および紙幣を入出金する入出金ユニットと、を備える。【選択図】図２
2018133049.tif 000002
【特許請求の範囲】
【請求項１】
販売データに基づいて算出された支払額の会計を行う会計装置であって、
前面および底面が開放された形状のカバー部と、
少なくとも前後方向に移動自在であって、前記カバー部に収納された状態で前記カバー部と固定可能な硬貨および紙幣を入出金する入出金ユニットと、
を備える会計装置。
【請求項２】
前記入出金ユニットは、投入された硬貨を収納し釣銭としての硬貨を払い出す硬貨入出金装置と、投入された紙幣を収納し釣銭としての紙幣を払い出す紙幣入出金装置と、前記硬貨入出金装置および前記紙幣入出金装置を所定の位置に収納する棚と、当該棚の前面を覆い開閉自在な扉と、を備える
ことを特徴とする請求項１に記載の会計装置。
【請求項３】
前記カバー部は、前記入出金ユニットの背面、天面、および両側面を覆う
ことを特徴とする請求項１または２に記載の会計装置。
【請求項４】
オペレータに対して情報を表示する表示デバイスをさらに備え、
前記表示デバイスは、表示面に表示された情報に応じて操作を受け付ける操作パネルを備える
ことを特徴とする請求項１〜３のいずれか１つに記載の会計装置。
【請求項５】
前記カバー部の上に設けられ、商品から情報を読み取る読取部と、
前記読取部が読み取った情報に基づいて所定の記憶部から前記販売データとする情報を収集する登録部と、
をさらに備えることを特徴とする請求項１〜４のいずれか１つに記載の会計装置。
【発明の詳細な説明】
【技術分野】
【０００１】
本発明の実施形態は、会計装置に関する。
【背景技術】
【０００２】
従来、客が自身で会計を行うための会計装置が用いられている。会計装置としては、例えば、セルフチェックアウト装置やセミセルフチェックアウト装置がある。セルフチェックアウト装置は、客が自身で商品データの登録から決済までを行える装置である。セミセルフチェックアウト装置は、店員が登録した商品データに基づいて算出された代金を、客自身で決済するための装置である。
【０００３】
さて、上述のような会計装置においては、入金された貨幣（硬貨、紙幣）の回収や釣銭用の貨幣の追加（補充）、メンテナンスなどで店員の作業を要する。このような作業のしやすさに着目すると、従来の会計装置には改善の余地がある。
【０００４】
例えば、上述のような会計装置には、硬貨釣銭機と紙幣釣銭機とを収納した棚のような筐体に表示操作部やスキャナが備え付けられたものがある。このタイプの場合、貨幣の回収に際しては硬貨釣銭機や紙幣釣銭機を筐体から引っ張り出して行う。硬貨釣銭機や紙幣釣銭機は、客の作業性を考慮して、ある程度の高さに設けられているので、引っ張り出し量によっては装置の安定性を損なうおそれがある。
【発明の概要】
【発明が解決しようとする課題】
【０００５】
本発明が解決しようとする課題は、店員が装置に対して行う作業の作業性のよい会計装置を提供することである。
【課題を解決するための手段】
【０００６】
実施形態の会計装置は、販売データに基づいて算出された支払額の会計を行う会計装置であって、前面および底面が開放された形状のカバー部と、少なくとも前後方向に移動自在であって、前記カバー部に収納された状態で前記カバー部と固定可能な硬貨および紙幣を入出金する入出金ユニットと、を備える。
【図面の簡単な説明】
【０００７】
【図１】図１は、実施形態のセルフチェックアウト装置の外観を示す斜視図である。
【図２】図２は、カバーから出る方向に第２本体部を移動させた状態を示すセルフチェックアウト装置の斜視図である。
【図３】図３は、扉を開放した状態の第２本体部を示す斜視図である。
【図４】図４は、収納物の一つを引き出した状態の第２本体部を示す斜視図である。
【発明を実施するための形態】
【０００８】
（第１の実施形態）
実施形態について図面を用いて説明する。図１は、セルフチェックアウト装置１の外観を示す斜視図である。本実施形態では、セルフチェックアウト装置１を一例として、販売データに基づいて算出された支払額の会計を行う会計装置について説明する。
【０００９】
会計装置は、スーパーマーケット等の小売店舗に設置されて用いられる。会計装置としては、例えば、店員が操作するＰＯＳ端末装置とともに用いられる入出金装置や、客が自身で会計を行うための装置であるセルフチェックアウト装置やセミセルフチェックアウト装置がある。
【００１０】
セルフチェックアウト装置は、客が自身で商品データの登録から決済までを行える装置である。セミセルフチェックアウト装置は、店員が登録した商品データに基づいて算出される代金の会計を、客自身で行う装置である。ＰＯＳ端末装置とともに用いられる入出金装置は、商品の支払に用いられた硬貨や紙幣を収納し、釣銭としての硬貨や紙幣を排出する。
【００１１】
セルフチェックアウト装置１は、第１本体部１００、第２本体部２００、表示操作部３００、カバー部４００を備えている。以下の説明において、表示操作部３００が面している方向を、セルフチェックアウト装置１の正面とする。
【００１２】
カバー部４００は、天面４１１が表示操作部３００を所定の高さに位置させる台座として機能する。カバー部４００は、前面および底面が開放された台座状の形状を有する。より詳細には、カバー部４００は、上下方向に長く、正面および底面が開放されて他の面が閉じられた直方体状の形状を有する。また、カバー部４００は、第２本体部２００を収納し、第２本体部２００の背面、天面、および両側面を覆う。
【００１３】
また、カバー部４００は、かご置台４０１を備えている。かご置台４０１は、買い物籠を載せるための台であって、カバー部４００の両側面のうち向かって右側の側面に設けられている。
【００１４】
第２本体部２００は、硬貨および紙幣を入出金する入出金ユニットの一例である。第２本体部２００は、上下方向に長い直方体状の形状を有し、例えば底面の４隅にキャスター（コロ、車輪）を備えるなど、少なくとも前後方向の移動が容易な構成となっている。図１に示す状態から、第２本体部２００を前進させると、第２本体部２００がカバー部４００から出る。図２は、カバー部４００から出る方向に第２本体部２００を移動させた状態を示すセルフチェックアウト装置１の斜視図である。
【００１５】
第２本体部２００は、上述のように前後方向に移動自在であるが、カバー部４００内に納まって天面４１１の下に位置する状態でカバー部４００との相対位置を固定するロック機構を備えている。当該ロック機構がロック状態のとき、第２本体部２００は移動不能である。第２本体部２００をカバー部４００から出す際、店員が、ロック機構によるロック状態を解除する。
【００１６】
第１本体部１００は、カバー部４００の上面に設けられている。第１本体部１００は、読取部１１０、プリンタ部１２０、および制御部１３０を備えている。
【００１７】
読取部１１０は、表示操作部３００とカバー部４００との間に設けられ、商品から情報を読み取る。読取部１１０は、読取窓１１１の奥に撮像部１１２を備え、読取窓１１１にかざされた商品の画像を撮像部１１２で撮像し、撮像画像を得て、撮像画像を制御部１３０に出力する。プリンタ部１２０は、レシートを印字し発行する。
【００１８】
制御部１３０は、読取部１１０が読み取った情報に基づいて所定の記憶部から販売データとする情報を収集する登録部の一例として機能する。すなわち、撮像画像からバーコードなどのコードシンボルをデコードするなどして商品コードを得、商品コードに合致する商品情報をデータベースなどから取得する。また、制御部１３０は、読取窓１１１にかざされた商品が青果などでバーコードラベルが貼付されていなかった場合、撮像画像から商品の特徴量を算出して、特徴量に合致する情報を商品情報のデータベースから取得する。さらに、制御部１３０は、取得した商品情報や代金の合計額など、レシートに印字する印字データをプリンタ部１２０に出力する。
【００１９】
表示操作部３００は、オペレータに対して情報を表示する表示デバイスの一例である。表示操作部３００は、第１本体部１００の上に設けられている。表示操作部３００は、表示部３１０と、操作部３２０とを備えている。表示部３１０は、例えばＬＣＤ（Liquid  Crystal  Display）であって、制御部１３０の制御に基づいてオペレータ向けの情報を表示する。操作部３２０は、表示面に表示された情報に応じて操作を受け付ける操作パネルの一例であって、具体的には例えばタッチパネルである。操作部３２０は、表示部３１０の表示内容に応じた操作を受け付ける。
【００２０】
第２本体部２００は、筐体２１０、硬貨釣銭機２２０および紙幣釣銭機２３０を備えている。硬貨釣銭機２２０は、投入された硬貨を収納し釣銭としての硬貨を払い出す硬貨入出金装置の一例であって、紙幣釣銭機２３０は、投入された紙幣を収納し釣銭としての紙幣を払い出す紙幣入出金装置の一例である。
【００２１】
筐体２１０は、硬貨釣銭機２２０および紙幣釣銭機２３０を収納する収納庫であって、扉２１１および棚２１２を備えている。筐体２１０は、カバー部４００の内側の空間の寸法に合う外形を有する。扉２１１は、上下方向に沿う２辺のうち一方の辺の近傍に設けられた回動軸まわりに回動自在であって、回動に伴って、棚２１２およびカバー部４００の正面を塞ぐ位置と開放する位置との間で移動する。この構造により、棚２１２の前面を覆って開閉自在な扉２１１が実現されている。
【００２２】
図３は、扉２１１を開放した状態の第２本体部２００を示す斜視図である。棚２１２は、硬貨釣銭機２２０および紙幣釣銭機２３０を、所定の位置に収納し、それぞれ任意の高さに支持する。棚２１２は、収納物（硬貨釣銭機２２０および紙幣釣銭機２３０）を載置する棚板を備えるものでもよいし、側壁に設けられて収納物を引き出し可能に支えるレールを備えるものでもよい。図４は、収納物の一つである硬貨釣銭機２２０を引き出した状態の第２本体部２００を示す斜視図である。
【００２３】
硬貨釣銭機２２０および紙幣釣銭機２３０は、制御部１３０と配線（ケーブル）でつながっており、当該配線を経由して情報をやり取りする。配線は、硬貨釣銭機２２０および紙幣釣銭機２３０の背面に設けられた端子から、カバー部４００の内側を経由して制御部１３０に接続されている。
【００２４】
棚２１２は、背面側が開放されている。これにより、硬貨釣銭機２２０および紙幣釣銭機２３０の背面へのアクセスが容易にされている。棚２１２の背面側からは、硬貨釣銭機２２０および紙幣釣銭機２３０と第１本体部１００が備える制御部１３０とをつなぐ配線が、出ている。また、棚２１２は、側面側が開放されていてもよい。
【００２５】
紙幣釣銭機２３０は、投入口２３１や払出口２３２が設けられた筐体２３３の内部に、紙幣を収納する収納部２３４を備えている。投入口２３１から筐体２３３内に取り込まれた紙幣は、選別されて収納部２３４に収納される。収納部２３４に収納された硬貨は、制御部１３０の指示に応じて払出口２３２から排出される。
【００２６】
硬貨釣銭機２２０は、投入口２２１や釣銭皿２２２が設けられた筐体２２３の内部に、硬貨を収納する収納部２２４を備えている。投入口２２１から筐体２２３内に取り込まれた硬貨は、選別されて収納部２２４に収納される。収納部２２４に収納された硬貨は、制御部１３０の指示に応じて釣銭皿２２２に払い出される。
【００２７】
棚２１２の底部には、棒金やレシートロールなど、消耗品や備品を載置、収納できる。棚２１２の底部に備品等を収納することで、筐体２１０を倒れにくくするなど、棚２１２の安定性の向上に貢献することが可能である。
【００２８】
棚２１２は、天面２１３における投入口２２１の上に当たる位置に、孔２１４を有している。孔２１４は、貫通孔である。また、カバー部４００は、天面４１１における孔２１４の上に当たる位置に、孔４１２を有している。孔４１２は、貫通孔である。硬貨は、孔４１２および孔２１４を経て、投入口２２１に入る。
【００２９】
なお、孔２１４や孔４１２は、漏斗状の形状を有していてもよい。すなわち、貫通孔の上向きの開口が広く、下向きの開口が狭く形成されていてもよい。
【００３０】
扉２１１は、二つの開口部２１５，２１６を有している。開口部２１５は、筐体２１０に収納された硬貨釣銭機２２０の釣銭皿２２２を露出させる。また、開口部２１６は、筐体２１０に収納された紙幣釣銭機２３０の投入口２３１や払出口２３２を露出させる。
【００３１】
このような構成のセルフチェックアウト装置１は、店舗の開店中は、図１に示す状態で用いられる。店員は、貨幣の回収やメンテナンスの際、図２に示すように、カバー部４００から筐体２１０を取り出す。
【００３２】
筐体２１０を取り出すと、棚２１２の背面側が開放されているので、釣銭機２２０，２３０の背面側での作業を容易に行うことができる。この作業としては、例えば、硬貨釣銭機２２０および紙幣釣銭機２３０と制御部１３０との接続や配線に関係する作業など、各種メンテナンスがある。
【００３３】
従来のセルフチェックアウト装置では、硬貨釣銭機や紙幣釣銭機は箱型の筐体に収納されているので、背面に対して行う作業に際しては、釣銭機の全体を筐体から引っ張り出す必要があった。各釣銭機は相当の重さを有する上、筐体内の上部に設置されているので、全体を取り出して作業するのは容易ではない。
【００３４】
これに対し、本実施形態では、棚２１２の例えば背面側が開放されているので、釣銭機２２０，２３０を棚２１２から取り出さなくとも、筐体２１０ごとカバー部４００から出すことにより、上記作業が可能な状態にできる。このように、本実施形態によれば、従来のように筐体２１０から釣銭機２２０，２３０を引っ張り出す必要がなく、筐体２１０の背面側から釣銭機２２０，２３０にアクセスすることができる。
【００３５】
貨幣が詰まった場合には、釣銭機２２０，２３０を開放して、詰まった貨幣を取り除く。この場合には、釣銭機２２０，２３０の全体でなく、作業対象の領域が露出して作業可能となる程度の範囲を、引き出す。このようにすることで、装置あるいは収納物の安定性を損ないにくくできる。
【００３６】
また、本実施形態で説明した一例のように、棚２１２にレールを設けて、当該レールによって、各釣銭機２２０，２３０を棚２１２に対して引き出し自在に支持していれば、装置や収納物の安定性を損なわずに作業可能とする最適な程度に引き出し量を制限する構成を、容易に実現できる。
【００３７】
さらに、本実施形態によれば、第２本体部２００がセルフチェックアウト装置１を構成する他の部分から分離可能であるので、これを利用して防犯性を高めることが可能である。すなわち、例えば、閉店時などに、第２本体部２００を、店舗のバックヤードに納めるなどすることが可能である。店頭に置いたままにする場合に比べ、釣銭機２２０，２３０を内蔵する第２本体部２００を外部から分かりにくい場所に移動させることで、現金の盗難の危険性を低下させるなどの効果を期待できる。
【００３８】
また、第２本体部２００がセルフチェックアウト装置１を構成する他の部分から分離可能であるので、故障時の交換や新規購入にあたって、第２本体部２００のみを新しいものにすることができる。すなわち、第１本体部１００や表示操作部３００、カバー部４００などを使い続けることが可能となる。これにより、交換費用を抑えることができる。
【００３９】
なお、上記実施形態では、セルフチェックアウト装置１を例として会計装置を説明したが、会計装置には、ＰＯＳ端末装置とともに用いられる入出金装置もある。実施にあたっては、このような入出金装置に本実施形態を適用してもよい。本実施形態を適用した入出金装置は、例えば、カバー部４００がＰＯＳ端末装置を載せる台座として機能し、カバー部４００に、入出金ユニットである第２本体部２００が収納される。
【００４０】
このような構成によれば、客でなく店員が操作する装置に付随する会計装置においても、上記実施形態と同様の効果を奏することができ、例えば、釣銭機２２０，２３０の背面側での作業を容易に行うことができる。
【００４１】
また、上記実施形態では、釣銭機２２０，２３０は上下に重なる配置とされているが、実施にあたって横並びに配置されていてもよい。特に、ＰＯＳ端末装置とともに用いられる会計装置の場合には、硬貨釣銭機２２０と紙幣釣銭機２３０とが横並びに配置されていた方が、店員にとって取り扱いやすい配置とすることができる。
【００４２】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４３】
１    …セルフチェックアウト装置（会計装置）
１００…第１本体部
１１０…読取部、１１１…読取窓、１１２…撮像部
１２０…プリンタ部
１３０…制御部（登録部）
２００…第２本体部（入出金ユニット）
２１０…筐体
２１１…扉
２１２…棚
２１３…天面
２１４…孔
２１５，２１６…開口部
２２０…硬貨釣銭機（硬貨入出金装置）
２２１…投入口
２２２…釣銭皿
２２３…筐体
２２４…収納部
２３０…紙幣釣銭機（紙幣入出金装置）
２３１…投入口
２３２…払出口
２３３…筐体
２３４…収納部
３００…表示操作部（表示デバイス）、３１０…表示部、３２０…操作部（操作パネル）
４００…カバー部
４０１…かご置台
４１１…天面
４１２…孔
【先行技術文献】
【特許文献】
【００４４】
【特許文献１】特開２０１５−２１９８８９号公報
【図１】
2018133049.tif 000003
【図２】
2018133049.tif 000004
【図３】
2018133049.tif 000005
【図４】
2018133049.tif 000006